(57)【要約】【課題】減量目的で生活習慣を改善する場合に、間食に係わる管理が重視されたシステムを提供すること。【解決手段】ユーザーが所望する間食情報を取得する間食情報取得部３１と、間食情報に対応するカロリー情報を取得し、間食情報およびカロリー情報に基づいてユーザーが消費すべき目標カロリーを算出する目標カロリー算出部３５と、ユーザーの活動情報を検出する検出部２０と、活動情報のうち所定条件を満たす活動に基づいて活動カロリーを算出する活動カロリー算出部３７と、活動カロリーと目標カロリーとの差分である収支カロリーとを算出する収支カロリー算出部３９と、目標カロリーと活動カロリーと収支カロリーとを含む報知情報を生成する報知情報生成部４１と、報知情報をユーザーに報知する報知部１４と、を備える間食管理システム１を提供する。【選択図】図２
2017194887.tif 000002
【特許請求の範囲】
【請求項１】
ユーザーが所望する間食情報を取得する間食情報取得部と、
前記間食情報に対応するカロリー情報を取得する間食カロリー取得部と、
前記間食情報および前記カロリー情報に基づいて前記ユーザーが消費すべき目標カロリーを算出する目標カロリー算出部と、
前記ユーザーの活動の情報である活動情報を検出する検出部と、
前記活動情報のうち所定条件を満たす活動に基づいて活動カロリーを算出する活動カロリー算出部と、
前記活動カロリーと前記目標カロリーとの差分である収支カロリーを算出する収支カロリー算出部と、
前記目標カロリーと前記活動カロリーと前記収支カロリーとを含む報知情報を生成する報知情報生成部と、
前記報知情報を前記ユーザーに報知する報知部と、
を備えることを特徴とする間食管理システム。
【請求項２】
前記報知情報生成部は、前記活動カロリーが前記目標カロリー以上になった場合には、目標が達成された旨のメッセージ情報を含む前記報知情報を生成することを特徴とする請求項１に記載の間食管理システム。
【請求項３】
前記報知情報生成部は、前記活動カロリーが前記目標カロリー以上になった回数をカウントし、前記回数が所定回数以上となった場合に、前記ユーザーを報奨する旨のメッセージ情報を含む前記報知情報を生成することを特徴とする請求項２に記載の間食管理システム。
【請求項４】
前記報知情報生成部は、前記活動カロリーが前記目標カロリー未満である場合には、前記収支カロリーを消費するための活動に関するメッセージ情報を前記報知情報に含めることを特徴とする請求項１から請求項３のいずれか１項に記載の間食管理システム。
【請求項５】
前記間食管理システムは、記憶部をさらに備え、
前記間食情報取得部は、前記収支カロリーを算出する期間である所定期間を取得し、
前記活動カロリー算出部は、前記所定期間における前記活動カロリーを算出し、
前記収支カロリー算出部は、前記所定期間における前記収支カロリーを算出し、
前記記憶部は、前記所定期間の終了時における前記収支カロリーを期間収支カロリーとして記憶すること、
を特徴とする請求項１から請求項４のいずれか１項に記載の間食管理システム。
【請求項６】
前記目標カロリー算出部は、前記所定期間の開始時に前記記憶部から前記期間収支カロリーを読み込み、前記期間収支カロリーを加味して前記目標カロリーを算出することを特徴とする請求項５に記載の間食管理システム。
【請求項７】
前記間食情報は、食品分類の名称、商品の名称、および提供者により決められた名称のうち少なくとも１つの種別に関する情報と、前記種別毎に数量、重量、割合、および容積の少なくとも１つの分量に関する情報とを含むことを特徴とする請求項１から請求項６のいずれか１項に記載の間食管理システム。
【請求項８】
前記活動情報は、脈拍数、加速度情報、心拍数、呼吸数、および移動情報のうち少なくとも１つを含むことを特徴とする請求項１から請求項７のいずれか１項に記載の間食管理システム。
【請求項９】
前記所定条件は、運動状態か否かの判定において運動状態と判定される条件、活動代謝か基礎代謝かの判定において活動代謝と判定される条件、および動作しているか否かの判定において動作していることを判定する条件、のうち少なくとも１つであることを特徴とする請求項１から請求項８のいずれか１項に記載の間食管理システム。
【請求項１０】
前記間食管理システムは、
前記間食情報、前記目標カロリー、前記活動カロリー、および前記収支カロリーのうち少なくとも１つの情報を評価期間毎に集計する集計情報を生成する集計部を備え、
前記報知情報生成部は、前記集計情報を分析し、グラフ化された前記報知情報を生成することを特徴とする請求項１から請求項９のいずれか１項に記載の間食管理システム。
【請求項１１】
前記ユーザーへ助言する助言者に対して、前記報知情報を報知する第２報知部を更に備えることを特徴とする請求項１から請求項１０のいずれか１項に記載の間食管理システム。
【請求項１２】
ユーザーの身体に装着される装着装置であって、
前記ユーザーが所望する間食情報を取得する間食情報取得部と、
前記間食情報に対応するカロリー情報を取得する間食カロリー取得部と、
前記間食情報および前記カロリー情報に基づいて前記ユーザーが消費すべき目標カロリーを算出する目標カロリー算出部と、
前記ユーザーの活動の情報である活動情報を検出する検出部と、
前記活動情報のうち所定条件を満たす活動に基づいて活動カロリーを算出する活動カロリー算出部と、
前記活動カロリーと前記目標カロリーとの差分である収支カロリーを算出する収支カロリー算出部と、
前記目標カロリーと前記活動カロリーと前記収支カロリーとを含む報知情報を生成する報知情報生成部と、
を備えることを特徴とする装着装置。
【請求項１３】
前記報知情報を前記ユーザーに報知する報知部を更に備えることを特徴とする請求項１２に記載の装着装置。
【請求項１４】
ユーザーの身体に装着される装着装置であって、
前記ユーザーが所望する間食情報および前記間食情報に対応するカロリー情報に基づいて算出された前記ユーザーが消費すべき目標カロリーを取得する目標カロリー取得部と、
前記ユーザーの活動の情報である活動情報を検出する検出部と、
前記活動情報のうち所定条件を満たす活動に基づいて活動カロリーを算出する活動カロリー算出部と、
前記活動カロリーと前記目標カロリーとの差分である収支カロリーを算出する収支カロリー算出部と、
を備えることを特徴とする装着装置。
【請求項１５】
前記収支カロリーを少なくとも含む情報を情報機器に送信する通信部を更に備えることを特徴とする請求項１４に記載の装着装置。
【請求項１６】
ユーザーが所望する間食情報を取得する間食情報取得工程と、
前記間食情報に対応するカロリー情報を取得する間食カロリー取得工程と、
前記間食情報および前記カロリー情報に基づいて前記ユーザーが消費すべき目標カロリーを算出する目標カロリー算出工程と、
前記ユーザーの活動の情報である活動情報を検出する検出工程と、
前記活動情報のうち所定条件を満たす活動に基づいて活動カロリーを算出する活動カロリー算出工程と、
前記活動カロリーと前記目標カロリーとの差分である収支カロリーを算出する収支カロリー算出工程と、
前記目標カロリーと前記活動カロリーと前記収支カロリーとを含む報知情報を生成する報知情報生成工程と、
前記報知情報を前記ユーザーに報知する報知工程と、
を備えることを特徴とする間食管理方法。
【請求項１７】
ユーザーが所望する間食情報を取得する間食情報取得工程と、
前記間食情報に対応するカロリー情報を取得する間食カロリー取得工程と、
前記間食情報および前記カロリー情報に基づいて前記ユーザーが消費すべき目標カロリーを算出する目標カロリー算出工程と、
前記ユーザーの活動の情報である活動情報を検出する検出工程と、
前記活動情報のうち所定条件を満たす活動に基づいて活動カロリーを算出する活動カロリー算出工程と、
前記活動カロリーと前記目標カロリーとの差分である収支カロリーを算出する収支カロリー算出工程と、
前記目標カロリーと前記活動カロリーと前記収支カロリーとを含む報知情報を生成する報知情報生成工程と、
前記報知情報を前記ユーザーに報知する報知工程と、
をコンピューターに実行させることを特徴とするプログラム。
【発明の詳細な説明】
【技術分野】
【０００１】
本発明は、間食管理システム、装着装置、間食管理方法、およびプログラムに関する。
【背景技術】
【０００２】
従来、特許文献１に示すようにユーザーの健康管理や食生活管理を支援するシステムが知られていた。このシステムは、ユーザーが使用する個人端末からユーザー本人が摂取した食事や間食などを含む全ての飲食物の情報（画像や音声）を取得し、当該情報に基づいて飲食内容や健康指導に関するアドバイスをユーザーに提供するシステムであった。
また、適切な健康管理や食生活管理を必要とするユーザーは、体重の減量を目標としている場合が多い。メタボリックシンドロームに伴う軽度から中程度の肥満を抱える人は、食事制限と運動療法により、飲食物を摂る摂取エネルギー量を、運動などによる消費エネルギー量以下にすることで減量を目指すという指針が、厚生労働省の「生活習慣病予防のための健康情報サイト」のＷｅｂページ（https://www.e-healthnet.mhlw.go.jp/information/metabolic/m-03-002.html、http://www.e-healthnet.mhlw.go.jp/information/food/e-03-013.html）にも記載されている。また、同Ｗｅｂページには、減量のための生活習慣の改善として、間食の摂り方について記載されている。ここでは、間食による摂取エネルギー量が比較的高いことから、「おやつ（間食）は時間と量をきちんと決めること」、「上手に間食を摂ること」などが示されている。例えば、ショートケーキ１個の摂取エネルギー量（３００〜４００ｋｃａｌ程度）は、ごはん１膳（２４０〜２７０ｋｃａｌ程度）よりも高いため、日常的に間食をしているユーザーにとっては、一日の摂取エネルギー量のなかで間食によるウェイトが比較的高くなっている。
【先行技術文献】
【特許文献】
【０００３】
【特許文献１】特開２００３−８５２８９号公報
【発明の概要】
【発明が解決しようとする課題】
【０００４】
しかしながら、特許文献１に記載のシステムでは、食事や間食で摂取した全ての飲食物の情報を取得し分析するシステムであり、間食に重点を置いているものではなかった。間食を日常的に摂取しているユーザーにとっては、最初に注力すべきは間食の情報であるにも係わらず、間食に係わる情報も食事の情報に紛れてしまっていた。そのため、間食を日常的に摂取しているユーザーが、減量目的で生活習慣を改善する場合に、間食に係わる管理が重視されたシステムの提供が期待されていた。
【課題を解決するための手段】
【０００５】
本発明は、上述の課題の少なくとも一部を解決するためになされたものであり、間食を日常的に摂取しているユーザーが、減量目的で生活習慣の改善をする場合において、間食に係わる管理が重視されたシステムを提供することにある。
【０００６】
［適用例１］本適用例に係わる間食管理システムは、ユーザーが所望する間食情報を取得する間食情報取得部と、前記間食情報に対応するカロリー情報を取得する間食カロリー取得部と、前記間食情報および前記カロリー情報に基づいて前記ユーザーが消費すべき目標カロリーを算出する目標カロリー算出部と、前記ユーザーの活動の情報である活動情報を検出する検出部と、前記活動情報のうち所定条件を満たす活動に基づいて活動カロリーを算出する活動カロリー算出部と、前記活動カロリーと前記目標カロリーとの差分である収支カロリーを算出する収支カロリー算出部と、前記目標カロリーと前記活動カロリーと前記収支カロリーとを含む報知情報を生成する報知情報生成部と、前記報知情報を前記ユーザーに報知する報知部と、を備えることを特徴とする。
【０００７】
本適用例によれば、ユーザーが所望する間食情報およびカロリー情報に基づいてユーザーが消費すべき目標カロリーを算出している。また、ユーザーの活動情報に基づいて活動カロリーを算出することができる。報知部は、目標カロリーに対して活動した活動カロリーを表示し、その差分である収支カロリーを表示し、ユーザーへ報知する。ユーザーは、間食分の目標カロリーを消費するための活動に集中することができる。このように、従来のような間食以外の食事を含む管理ではなく、情報としては間食に係わる情報のみで、ユーザーが消費すべき目標カロリーと、ユーザーの活動に応じて消費される活動カロリーを報知している。従って、間食を日常的に摂取しているユーザーが、減量目的で生活習慣の改善をする場合において、間食に係わる管理が重視されたシステムを提供することができる。
【０００８】
［適用例２］前記報知情報生成部は、前記活動カロリーが前記目標カロリー以上になった場合には、目標が達成された旨のメッセージ情報を含む前記報知情報を生成することを特徴とする。
【０００９】
本適用例によれば、目標が達成されたことをユーザーに報知することができる。
【００１０】
［適用例３］前記報知情報生成部は、前記活動カロリーが前記目標カロリー以上になった回数をカウントし、前記回数が所定回数以上となった場合に、前記ユーザーを報奨する旨のメッセージ情報を含む前記報知情報を生成することを特徴とする。
【００１１】
本適用例によれば、ユーザーを報奨するメッセージ情報は、ユーザーのモチベーションを高く維持させる効果が期待できる。
【００１２】
［適用例４］前記報知情報生成部は、前記活動カロリーが前記目標カロリー未満である場合には、前記収支カロリーを消費するための活動に関するメッセージ情報を前記報知情報に含めることを特徴とする。
【００１３】
本適用例によれば、収支カロリーを消費するための活動に関するメッセージ情報により、ユーザーは具体的な活動をイメージすることができる。
【００１４】
［適用例５］前記間食管理システムは、記憶部をさらに備え、前記間食情報取得部は、前記収支カロリーを算出する期間である所定期間を取得し、前記活動カロリー算出部は、前記所定期間における前記活動カロリーを算出し、前記収支カロリー算出部は、前記所定期間における前記収支カロリーを算出し、前記記憶部は、前記所定期間の終了時における前記収支カロリーを期間収支カロリーとして記憶すること、を特徴とする。
【００１５】
本適用例によれば、所定期間毎に算出される収支カロリーにより、収支カロリーを所定期間毎に検証することが可能になる。
【００１６】
［適用例６］前記目標カロリー算出部は、前記所定期間の開始時に前記記憶部から前記期間収支カロリーを読み込み、前記期間収支カロリーを加味して前記目標カロリーを算出することを特徴とする。
【００１７】
本適用例によれば、期間収支カロリーが加味された目標カロリーによって、ユーザーは終了した所定期間の結果を次の所定期間に引き継ぐことができる。
【００１８】
［適用例７］前記間食情報は、食品分類の名称、商品の名称、および提供者により決められた名称のうち少なくとも１つの種別に関する情報と、前記種別毎に数量、重量、割合、および容積の少なくとも１つの分量に関する情報とを含むことを特徴とする。
【００１９】
本適用例によれば、間食情報を多様な名称および分量で指定することができる。
【００２０】
［適用例８］前記活動情報は、脈拍数、加速度情報、心拍数、呼吸数、および移動情報のうち少なくとも１つを含むことを特徴とする。
【００２１】
本適用例による活動情報を検出することにより、ユーザーの生体における活動を把握することができる。
【００２２】
［適用例９］前記所定条件は、運動状態か否かの判定において運動状態と判定される条件、活動代謝か基礎代謝かの判定において活動代謝と判定される条件、および動作しているか否かの判定において動作していることを判定する条件、のうち少なくとも１つであることを特徴とする。
【００２３】
本適用例による所定条件は、ユーザーの運動状態、活動代謝、および動作を意識的に助長させる効果が期待できる。
【００２４】
［適用例１０］前記間食管理システムは、前記間食情報、前記目標カロリー、前記活動カロリー、および前記収支カロリーのうち少なくとも１つの情報を評価期間毎に集計する集計情報を生成する集計部を備え、前記報知情報生成部は、前記集計情報を分析し、グラフ化された前記報知情報を生成することを特徴とする。
【００２５】
本適用例によれば、間食情報、目標カロリー、活動カロリー、収支カロリーの実績を振り返ることができる。
【００２６】
［適用例１１］前記ユーザーへ助言する助言者に対して、前記報知情報を報知する第２報知部を更に備えることを特徴とする。
【００２７】
本適用例によれば、第３者（助言者）からユーザーへの助言が可能になる。
【００２８】
［適用例１２］本適用例に係わる装着装置は、ユーザーの身体に装着される装着装置であって、前記ユーザーが所望する間食情報を取得する間食情報取得部と、前記間食情報に対応するカロリー情報を取得する間食カロリー取得部と、前記間食情報および前記カロリー情報に基づいて前記ユーザーが消費すべき目標カロリーを算出する目標カロリー算出部と、前記ユーザーの活動の情報である活動情報を検出する検出部と、前記活動情報のうち所定条件を満たす活動に基づいて活動カロリーを算出する活動カロリー算出部と、前記活動カロリーと前記目標カロリーとの差分である収支カロリーを算出する収支カロリー算出部と、前記目標カロリーと前記活動カロリーと前記収支カロリーとを含む報知情報を生成する報知情報生成部と、を備えることを特徴とする。
【００２９】
本適用例によれば、ユーザーが所望する間食情報およびカロリー情報に基づいてユーザーが消費すべき目標カロリーを算出している。また、ユーザーの活動情報に基づいて活動カロリーを算出することができる。報知情報には、目標カロリーに対して活動した活動カロリー、およびその差分である収支カロリーが含まれ、ユーザーへ報知可能である。ユーザーは、装着装置を装着した状態で、間食分の目標カロリーを消費するための活動に集中することができる。このように、従来のような間食以外の食事を含む管理ではなく、情報としては間食に係わる情報のみで、ユーザーが消費すべき目標カロリーと、ユーザーの活動に応じて消費される活動カロリーを報知することができる。従って、間食を日常的に摂取しているユーザーが、減量目的で生活習慣の改善をする場合において、間食を重視して管理する装着装置を提供することができる。
【００３０】
［適用例１３］本適用例に係わる装着装置は、適用例１２に示す報知情報を前記ユーザーに報知する報知部を更に備えることが好ましい。
【００３１】
［適用例１４］本適用例に係わる装着装置は、ユーザーの身体に装着される装着装置であって、前記ユーザーが所望する間食情報および前記間食情報に対応するカロリー情報に基づいて算出された前記ユーザーが消費すべき目標カロリーを取得する目標カロリー取得部と、前記ユーザーの活動の情報である活動情報を検出する検出部と、前記活動情報のうち所定条件を満たす活動に基づいて活動カロリーを算出する活動カロリー算出部と、前記活動カロリーと前記目標カロリーとの差分である収支カロリーを算出する収支カロリー算出部と、を備えることを特徴とする。
【００３２】
本適用例によれば、ユーザーに装着される装着装置によって、間食分の目標カロリーを消費するために必要な活動カロリーと、活動カロリーと目標カロリーとの差分である収支カロリーを確認することが可能になる。従って、間食を日常的に摂取しているユーザーが、減量目的で生活習慣の改善をする場合において、間食を重視して管理する装着装置を提供することができる。
【００３３】
［適用例１５］本適用例に係わる装着装置は、適用例１４に示す収支カロリーを少なくとも含む情報を情報機器に送信する通信部を更に備えることが好ましい。
【００３４】
［適用例１６］本適用例に係わる間食管理方法は、ユーザーが所望する間食情報を取得する間食情報取得工程と、前記間食情報に対応するカロリー情報を取得する間食カロリー取得工程と、前記間食情報および前記カロリー情報に基づいて前記ユーザーが消費すべき目標カロリーを算出する目標カロリー算出工程と、前記ユーザーの活動の情報である活動情報を検出する検出工程と、前記活動情報のうち所定条件を満たす活動に基づいて活動カロリーを算出する活動カロリー算出工程と、前記活動カロリーと前記目標カロリーとの差分である収支カロリーを算出する収支カロリー算出工程と、前記目標カロリーと前記活動カロリーと前記収支カロリーとを含む報知情報を生成する報知情報生成工程と、前記報知情報を前記ユーザーに報知する報知工程と、を備えることを特徴とする。
【００３５】
本適用例によれば、ユーザーが所望する間食情報およびカロリー情報に基づいてユーザーが消費すべき目標カロリーを算出している。また、ユーザーの活動情報に基づいて活動カロリーを算出することができる。報知工程は、目標カロリーに対して活動した活動カロリーを表示し、その差分である収支カロリーを表示し、ユーザーへ報知する。ユーザーは、間食分の目標カロリーを消費するための活動に集中することができる。このように、従来のような間食以外の食事を含む管理ではなく、情報としては間食に係わる情報のみで、ユーザーが消費すべき目標カロリーと、ユーザーの活動に応じて消費される活動カロリーを報知している。従って、間食を日常的に摂取しているユーザーが、減量目的で生活習慣の改善をする場合において、間食に係わる管理が重視された方法を提供することができる。
【００３６】
［適用例１７］本適用例に係わるプログラムは、ユーザーが所望する間食情報を取得する間食情報取得工程と、前記間食情報に対応するカロリー情報を取得する間食カロリー取得工程と、前記間食情報および前記カロリー情報に基づいて前記ユーザーが消費すべき目標カロリーを算出する目標カロリー算出工程と、前記ユーザーの活動の情報である活動情報を検出する検出工程と、前記活動情報のうち所定条件を満たす活動に基づいて活動カロリーを算出する活動カロリー算出工程と、前記活動カロリーと前記目標カロリーとの差分である収支カロリーを算出する収支カロリー算出工程と、前記目標カロリーと前記活動カロリーと前記収支カロリーとを含む報知情報を生成する報知情報生成工程と、前記報知情報を前記ユーザーに報知する報知工程と、をコンピューターに実行させることを特徴とする。
【００３７】
本適用例によれば、ユーザーが所望する間食情報およびカロリー情報に基づいてユーザーが消費すべき目標カロリーを算出している。また、ユーザーの活動情報に基づいて活動カロリーを算出することができる。報知工程は、目標カロリーに対して活動した活動カロリーを表示し、その差分である収支カロリーを表示し、ユーザーへ報知する。ユーザーは、間食分の目標カロリーを消費するための活動に集中することができる。このように、従来のような間食以外の食事を含む管理ではなく、情報としては間食に係わる情報のみで、ユーザーが消費すべき目標カロリーと、ユーザーの活動に応じて消費される活動カロリーを報知している。従って、間食を日常的に摂取しているユーザーが、減量目的で生活習慣の改善をする場合において、間食に係わる管理が重視された方法を実現するプログラムを提供することができる。
【図面の簡単な説明】
【００３８】
【図１】間食管理システムの概要を表す説明図。
【図２】間食管理システムの概略機能を表すブロック図。
【図３】入力画面の一例を示す図。
【図４】報知情報画面の一例を示す図。
【図５】報知情報画面の一例を示す図。
【図６】報知情報画面の一例を示す図。
【図７】報知情報画面の一例を示す図。
【図８】集計情報のグラフ画面を示す図。
【図９】集計情報のグラフ画面を示す図。
【図１０】集計情報のグラフ画面を示す図。
【図１１】集計情報のグラフ画面を示す図。
【図１２】間食管理の処理の流れを示すフローチャート図。
【図１３】目標カロリーの算出処理の流れを示すフローチャート図。
【図１４】報知情報の生成処理の流れを示すフローチャート図。
【図１５】実施形態２における情報機器の概要を示す図。
【図１６】変形例における間食管理システムの概要を表す説明図。
【発明を実施するための形態】
【００３９】
以下、本発明の実施形態について、図面を参照して説明する。尚、以下の各図においては、各部や各画面を認識可能な程度の大きさにするため、各部や各画面の尺度を実際とは異ならせしめている。
【００４０】
（実施形態１）
図１は、間食管理システムの概要を表す説明図である。図３は、入力画面の一例を示す図、図４〜図７は、報知情報画面の一例を示す図、図８は、集計情報のグラフ画面を示す図である。
図１に示す間食管理システム１は、体重の減量を目的として生活習慣を改善するユーザーＵにより利用されるシステムである。間食管理システム１は、ユーザーＵに携帯される情報機器３と、ネットワーク上にデータ通信可能（通信４）に接続されるサーバー５、ユーザーＵを含む他のユーザーにも利用可能な情報機器７などで構成されている。
【００４１】
情報機器３は、一般的なスマートフォンや携帯端末であり、Ｗｅｂブラウザーやインターネット通信機能を備え、Ｗｅｂアプリケーションやダウンロードしたアプリケーションソフトウェアをインストールして実行することができる。情報機器３では、間食管理用のプログラム５９（後述する）が実行されると、液晶表示画面である表示部１５に画面Ｄ１０（図３）が表示される。画面Ｄ１０は、「今日のおやつ」を選択する画面であり、この画面の領域Ｄ１０ｉに示される間食が選択されている。尚、液晶表示画面の表面には、入力を受け付けるタッチパネルが入力部１０として配設されており、これらの選択肢の入力を受け付ける。ユーザーＵは、領域Ｄ１０ｉに表示されている「ショートケーキ  １個」、「アイスバー  １本」、「商品Ｘ  １袋」を全て今日のおやつとして食べる（摂取する）予定である。尚、商品Ｘは、お菓子の商品名である。
【００４２】
ユーザーＵは、情報機器３を携帯して活動する。図１に示すように情報機器３は、ユーザーＵの左上腕にベルトなどで巻きつけられて装着されている。ユーザーＵは、画面Ｄ１０の領域Ｄ１０ｉで選択した間食であるショートケーキ（イメージＢ）を想像しながらジョギング（活動）している。
【００４３】
情報機器３には、検出部２０が内蔵されている。検出部２０は、例えば、加速度センサー２１（後述する）であり、ユーザーＵの体動に伴い変化する加速度情報を検出する。情報機器３では、加速度情報から運動をしている間に代謝される代謝熱量（以降、活動カロリー）を算出する。画面Ｄ２０（図４）は、ユーザーＵが情報機器３を携帯して、活動カロリー４００ｋｃａｌ分の運動をした後の表示画面である。グラフＤ２０ｃの領域には、画面Ｄ１０の領域Ｄ１０ｉで選択された、間食が表示されている。その間食の食物熱量（以降、間食カロリー）を合計したカロリー値（７００ｋｃａｌ）が、領域Ｄ２０ｄに目標カロリーのカロリー値として表示されている。尚、間食カロリーは、カロリー情報に相当する。情報機器３では、「今日おやつとして食べる（体内に蓄積される）」予定の間食の間食カロリーを合計して、「今日運動により消費（燃焼させる）する」すべき目標カロリーとして設定している。
【００４４】
ユーザーＵは、画面Ｄ１０において領域Ｄ１０ｉに表示されている間食を、今日食べる予定として計画を立て、イメージＢを食べることを思い描きながら、目標カロリーを消費するための運動を行っている。運動により消費した活動カロリーの実績は、いつでも画面Ｄ２０において確認することができる。このようにして、情報機器３では、間食を食べる計画と、間食分のカロリーを消費するために運動した実績を管理することができる。
【００４５】
サーバー５では、情報機器３から目標カロリーや活動カロリーなどの情報を受信して、情報を分析する。分析した情報を表示部６２に表示する。また、それらの情報は情報機器７へ送信され、情報機器７では、ユーザーＵの予定している間食に関する情報、目標カロリーや活動カロリーの情報を取得し、表示部９０へ表示する。情報機器７を利用するユーザーは、ユーザーＵに対する助言者として、間食の摂り方や活動について助言することができる。
【００４６】
このように間食管理システム１は、間食に係わる管理を重視したシステムになっている。以降、このような効果を得ることができる間食管理システム１の構成について、詳細に説明する。
【００４７】
（間食管理システムの構成）
図２は、間食管理システムの概略機能を表すブロック図である。間食管理システム１は、情報機器３、サーバー５、および情報機器７などで構成される。
情報機器３は、上述したように一般的なスマートフォン、携帯電話である。また、携帯可能な機器であればよく、タブレット端末、ＨＭＤ（ヘッドマウントディスプレイ）、ノートＰＣ（Personal Computer）、ＰＤＡ（Personal Digital Assistant）などであってもよい。
【００４８】
情報機器３は、入力部１０、報知部１４、検出部２０、計時部２５、通信部２７、処理部３０、および記憶部５０などで構成されている。
入力部１０は、表示部１５の表示面を覆うタッチパネル等を有して構成される入力装置であり、ユーザーによる入力操作を検出し、処理部３０へ出力する。タッチパネルは、表示部１５に表示されたボタンウィジェットや入力領域などに対応する位置情報を処理部３０へ出力する。処理部３０では、表示部１５に表示された情報とタッチパネルから取得した位置情報に基づいて、入力操作に対応する処理が行われる。
報知部１４は、表示部１５および音出力部１７などで構成されている。
表示部１５は、ＬＣＤ（Liquid Crystal Display）等を有して構成され、処理部３０から入力される表示信号に基づく各種報知情報を表示する装置である。処理部３０により生成された画面Ｄ２０などの画面データが表示部１５へ出力される。
音出力部１７は、スピーカー、圧電振動子などを有して構成され、処理部３０から入力される出力信号に基づく各種報知情報を行う音出力装置である。尚、音出力部１７は、イヤフォンジャックや近距離無線を備えてもよく、その場合はユーザーに装着されるイヤフォンやヘッドフォンへ音声出力信号を送信しても良い。
【００４９】
（検出部）
検出部２０は、加速度センサー２１、および測位センサー２２などで構成される。
加速度センサー２１は、好適には、略直交する３軸方向の加速度を検出可能な加速度センサーユニットであり、検出した３軸方向の加速度情報を処理部３０へ出力する。加速度センサー２１は、各軸の加速度変化をサンプリング間隔ごとに計測する。好適例としてサンプリング間隔は、１６Ｈｚ以上に設定されている。加速度センサー２１は、ユーザーの動きを検出し、検出した加速度信号を増幅回路、波形整形回路、Ａ／Ｄ変換回路（いずれも図示せず）において増幅、整形、Ａ／Ｄ変換し、加速度情報として出力する。３軸分の加速度情報は、処理部３０によって活動情報データ５３の一部として記憶部５０に格納される。
尚、加速度センサー２１は、３軸の加速度センサーを有するセンサーユニットとしているが、少なくとも２軸の加速度センサーを有したセンサーユニットであれば良い。略直交する２軸の加速度センサーを備えていても良いし、立体的に交差する４軸以上の加速度センサーを備えていても良い。
【００５０】
測位センサー２２は、測位用ＧＮＳＳ（Global Navigation Satellite System）衛星から衛星信号を受信するアンテナ部、フロントエンド部、および測位情報算出部（いずれも図示は省略）を有して構成され、情報機器３の測位情報を処理部３０へ出力する。測位情報には、緯度、経度、高度などが含まれ、単位時間毎（例えば、１秒毎）に移動情報として出力される。移動情報は、処理部３０によって、活動情報データ５３の一部として記憶部５０に格納される。
【００５１】
尚、検出部２０には、ジャイロセンサーを備える構成であってもよい。ジャイロセンサーは、略直交する３軸を中心軸とした角速度を検出し、角速度情報を出力する。角速度情報は、処理部３０によって活動情報データ５３の一部として記憶部５０に格納される。
【００５２】
尚、検出部２０は、情報機器３の本体に内蔵される加速度センサー２１、測位センサー２２などに限定されず、情報機器３と通信可能な別体のセンサーデバイスによって構成されていてもよい。例えば、人体の皮膚表面に装着されて脈拍数を検出する脈拍センサー１２３，２２３（詳細は後述する）を備えるセンサーデバイス、人体の皮膚表面に複数の電極を接触させて心拍数を検出する心拍センサーを備えるセンサーデバイス、心音マイクロフォンを備え、人体の心拍音や呼吸音を測定する音測定センサーを備えるセンサーデバイスなどであってもよい。このようなセンサーデバイスによって検出された脈拍数、心拍数および呼吸音の情報は、通信部２７を介して処理部３０に送信され、活動情報データ５３の一部として記憶部５０に格納される。
【００５３】
計時部２５は、リアルタイムクロックであり、加速度情報および測位情報検出用のサンプリング時間の発生、カレンダー機能、時計機能、ストップウォッチ機能などの計時機能を有している。また、後述する目標カロリー、活動カロリー、収支カロリー、および繰越カロリーを参照する期間などの日時情報が出力される。
【００５４】
通信部２７は、サーバー５と通信４を介して通信する携帯電話通信、無線ＬＡＮ（Local Area Network）などの無線通信アダプターと、を備える通信アダプターである。また、通信部２７には、上述したセンサーデバイス（検出部２０）のような別体のデバイスと通信を可能に接続する近距離無線アダプターが備えられている。尚、通信部２７は、物理的な通信端子または無線端末を含み共通の通信プロトコルを有する通信アダプターであっても良く、その場合は、互いにケーブルまたは無線を介して接続して各種データを送受信する。
【００５５】
処理部３０は、ＣＰＵ（Central Processing Unit）等のプロセッサーを有して構成され、情報機器３の各部を統括的に制御する制御装置および演算装置である。処理部３０は、記憶部５０に記憶されたプログラム５９を含む各種プログラム（図示は省略）に従って情報機器３の各種機能を実現する。尚、処理部３０は、コンピューターに相当する。
処理部３０は、記憶部５０に記憶されたプログラム５９を実行し、間食情報取得部３１、間食カロリー取得部３３、目標カロリー算出部３５、活動カロリー算出部３７、収支カロリー算出部３９、報知情報生成部４１、および集計部４３の各機能部の機能を実現する。ただし、これらの機能部はあくまでも一例であり、必ずしもすべての機能部を必須要件としなくてもよい。
【００５６】
（間食情報取得部）
間食情報取得部３１は、入力部１０を制御してユーザーから各種情報を取得する機能部であり、間食管理に係わる各種設定情報、ユーザーが所望する間食情報などを取得する。
各種設定情報には、間食を管理する期間に関する所定期間の情報、および所定期間毎に前回の所定期間の収支カロリーを繰り越すか否か（繰越有無情報）の情報である。間食情報取得部３１では、入力部１０を制御して、ユーザーから所定期間を「１日間」、「１週間」などの選択肢から、また、繰越有無情報は「する」、「しない」の選択肢から選択させる。取得した所定期間と繰越有無情報の設定内容を記憶部５０に記憶する（図示は省略）。
尚、所定期間は、後述する収支カロリーを算出する期間である。
【００５７】
間食情報取得部３１は、ユーザーが所望する間食情報を取得する。詳しくは、間食情報の入力を促す入力画面を生成し、表示部１５へ出力する。入力部１０を制御して、選択された情報を取得する。間食情報には、所望する間食の種類と、その間食の量が含まれている。
【００５８】
図３に示す画面Ｄ１０は、入力画面の一例であり、間食の種類と、間食の量の入力を受け付ける。画面Ｄ１０の例では、所定期間は、「１日間」が設定されている。
画面Ｄ１０には、領域Ｄ１０ａに「今日のおやつ」が表示されている。「今日」は、所定期間を表す一例であり、この場合の所定期間は、画面Ｄ１０が表示されている当日の０時００分００秒から２３時５９分５９秒までの「１日間」であることを示している。領域Ｄ１０ｂには、間食の候補が表示され、選択肢Ｄ１０ｃには選択可能な間食の種類が表示されている。間食の種類には、食品分類の名称、市販商品の名称、食品の提供者により決められた名称などがある。ユーザーが、選択肢Ｄ１０ｃから飲食したい間食を選択すると、領域Ｄ１０ｂに表示される。選択肢Ｄ１０ｃには、商品Ｘおよび商品Ｙが選択肢に示されている。これは、市販商品の名称の例である。このように、市販商品の名称についても、間食として選択可能である。食品の提供者により決められた名称は、市販されていない飲食品の名称であり、例えば、「Ａさん自家製ケーキ」などのような名称である。また、ユーザーが所望する間食が選択肢Ｄ１０ｃに存在しない場合は、間食の名称を領域Ｄ１０ｂに直接入力することができる。領域Ｄ１０ｄは、選択中の間食の量を入力する領域であり、選択肢Ｄ１０ｅは間食の量の数値である。領域Ｄ１０ｆは、間食の量の単位であり、選択肢Ｄ１０ｇに示される単位の種類の中から、領域Ｄ１０ｂに表示された間食の候補の単位が選択されて表示されている。間食の量の単位は、数量、重量、割合および容積なども選択可能である。割合や容量は、間食の種類が飲料である場合に用いられることが多く、例えば、お酒が０．５合といった、１合に対する割合や、牛乳１リットルのリットルなどの容積などである。ボタンＤ１０ｈは、入力可能なボタンウィジェットであり、ボタンが押下されると、間食の候補を領域Ｄ１０ｉに表示する。領域Ｄ１０ｉに表示された間食および数量は、「今日のおやつ」として所定期間に飲食する予定の間食情報である。ボタンＤ１０ｊは、領域Ｄ１０ｉに表示された間食とその量を決定する。
間食情報取得部３１では、このようにして間食情報を取得すると、取得した間食情報を間食カロリー取得部３３へ受け渡す。
【００５９】
（間食カロリー取得部）
間食カロリー取得部３３は、間食の食物熱量を示す間食カロリーを間食の種類ごとに取得する。詳しくは、記憶部５０に格納されている間食カロリー対応テーブル５１を参照して、間食ごとに対応する間食カロリーを取得する。間食カロリー対応テーブル５１には、間食の種類毎に間食の量の単位と単位あたりの食物熱量の情報が格納されている。間食カロリー取得部３３では、間食情報取得部３１から受け渡された間食情報の間食ごとに、間食カロリー対応テーブル５１から単位あたりの間食カロリーの情報を取得する。
【００６０】
また、間食カロリー取得部３３は、受け渡された間食情報の中に間食カロリー対応テーブル５１に存在しないものがあった場合は、通信部２７を制御してサーバー５と通信４を確立し、サーバー５から間食情報に対応する間食カロリーの情報を受信する。サーバー５には、間食情報ＤＢ８１（後述する）に多種多様な間食の情報が蓄積されており、それらの間食の情報は都度新しい内容に更新されている。間食カロリー取得部３３では、サーバー５から新たな間食に関する情報とその間食の単位あたりの間食カロリーを取得すると、間食カロリー対応テーブル５１へ追記する。
間食カロリー取得部３３によって、取得された間食ごとの単位あたりの間食カロリーと、間食の量は目標カロリー算出部３５に受け渡される。
【００６１】
（目標カロリー算出部）
目標カロリー算出部３５は、間食情報（間食の種類と量）および間食カロリー（単位あたりの間食カロリー）から算出される食物熱量を消費するために必要な代謝熱量を目標カロリーとして算出する。そして、算出した目標カロリーを、記憶部５０に目標カロリーデータ５２として格納する。詳しくは、目標カロリー算出部３５では、間食カロリー取得部３３から受け渡された間食の種類ごとに、間食の量と単位あたりの間食カロリーとを乗じ、それぞれを和算して、ユーザーが所望する間食分の食物熱量の総和を算出する。食物熱量の総和が、目標カロリーとして算出される。
【００６２】
目標カロリー算出部３５は、間食情報取得部３１により取得された繰越有無情報を参照してもよい。繰越有無情報が「しない」であれば、上述したように食物熱量の総和が目標カロリーとなり、「する」であれば、前回の所定期間の収支カロリーである繰越カロリーデータ５６が加味される。例えば、前回の収支カロリーが、「−２００ｋｃａｌ」であれば、「活動カロリーが目標カロリーよりも２００ｋｃａｌ不足していた」、という結果であり、繰越有無情報が「する」であれば、目標カロリーに２００ｋｃａｌが加算される。つまり、前回（昨日など）に不足した運動量を今回（今日こそ）挽回する設定である。また、例えば、前回の収支カロリーが「＋２００ｋｃａｌ」であれば、前回に運動した代謝熱量分が今回において目標カロリーから減算されるため、昨日運動した分を今日は運動量を少なくする、といった目標カロリーの設定が可能である。
【００６３】
尚、食物熱量の総和を目標カロリーとするとしているが、食物熱量の総和に対して所定の割合や所定の条件式などを乗じて目標カロリーとしてもよい。また、間食の種類毎に所定の割合や所定の条件式などを変更してもよい。
【００６４】
（活動カロリー算出部）
活動カロリー算出部３７は、検出部２０により検出された活動情報を取得し、所定条件を満たす活動に応じて消費される代謝熱量を累積した活動カロリーを算出する。算出した活動カロリーを、記憶部５０に活動カロリーデータ５４として格納する。
詳しくは、検出部２０により加速度情報、移動情報、脈拍数および心拍数などの情報が、単位時間毎に時系列データとして活動情報データ５３に格納されている。活動カロリー算出部３７では、これらの情報を読み込み、所定条件と比較する。所定条件は、運動状態か否か（否は、通常生活状態を示す）（以降、第１条件と呼称する）、活動代謝か基礎代謝の状態であるか（以降、第２条件と呼称する）、動作している状態であるか否か（否は、動きの少ない状態を示す）（以降、第３条件と呼称する）を判定するものであり、それぞれ、運動状態、活動代謝の状態、動作している状態であれば、所定条件が満たされていると判定される。
【００６５】
所定条件について具体的に説明する。
例えば、加速度情報を用いて、ユーザーの行動パターンを判別する方法が特開２０１４−２１２９１５号公報に示されている。この方法によれば、加速度情報から、「安静」、「生活動作」、「ウォーキング」、「ランニング」、「筋力トレーニング」、「体操」、「自転車」、「その他の運動」などが正確に判別可能である。この中で、第１条件および第２条件であれば、「ウォーキング」、「ランニング」、「筋力トレーニング」、「体操」、「自転車」、「その他の運動」は、運動状態および活動代謝の状態であるため、所定条件が満たされていると判定される。第３条件であれば、「生活動作」、「ウォーキング」、「ランニング」、「筋力トレーニング」、「体操」、「自転車」、「その他の運動」が、動作している状態であるため、所定条件が満たされていると判定される。
尚、同特開２０１４−２１２９１５号公報には、移動情報や脈拍数などの情報を用いて更に正確に行動判別を行うことができるとされているため、検出部２０により取得された情報を正確な判別のために有効に利用することができる。
【００６６】
活動カロリー算出部３７は、所定条件が満たされた状態において消費される代謝熱量（消費カロリー）を算出して累積し活動カロリーとして算出する。消費される代謝熱量は、上述したようなユーザーの行動を判別した行動パターンの運動負荷（例えば、運動強度の指標でメッツなど）と運動の持続時間とを掛け算する方法で計算することができる。また、ユーザーの年齢や性別、身長と体重などの身体情報を代謝熱量の係数として用いて、算出してもよい。
また、脈拍数や心拍数などの情報を利用する方法としては、脈拍数や心拍数の変化と酸素摂取量の変化と間に現れる相関関係を用いて運動強度を算出し、運動強度に対応する活動カロリーを算出する。この相関関係は、年齢や性別、体重などの身体情報に応じて定義され、予め記憶部５０に格納されている。尚、カロリーの算出方法においては、ジャイロセンサーからの出力信号も用いる方法であってもよい。詳しくは、加速度センサーとジャイロセンサーから出力される体動に伴う加速度情報の変化量や強さから運動強度を算出し、その運動強度に対応する活動カロリーを算出することができる。
【００６７】
（収支カロリー算出部）
収支カロリー算出部３９は、活動カロリーと目標カロリーとの差分である収支カロリーを算出する。詳しくは、記憶部５０に格納されている活動カロリーデータ５４と目標カロリーデータ５２とを読み込み、活動カロリーから目標カロリーを差し引いて収支カロリーとする。収支カロリーは、記憶部５０に収支カロリーデータ５５として格納される。収支カロリーは、目標カロリーから活動カロリーを差し引いた値であってもよい。この場合では、収支カロリーの正負が逆転するため、収支カロリーを参照する他の各機能部において正負の逆転が考慮されていればよい。
尚、活動カロリー算出部３７では、消費カロリーの算出やユーザーの行動パターンの判別において、ユーザーの年齢、性別、体重、基礎体力情報などのユーザー固有の情報を加味して算出することで更に精度高い情報を算出することができる。これらのユーザー固有の情報は、情報機器３に予めユーザーにより設定されているか、通信部２７を制御してサーバー５から受信する構成であってもよい。
【００６８】
また、収支カロリー算出部３９は、所定期間が終了すると、その時点における収支カロリーを記憶部５０に繰越カロリーデータ５６として格納する。尚、繰越カロリーデータ５６は、期間収支カロリーに相当する。
【００６９】
（報知情報生成部）
報知情報生成部４１は、目標カロリー、活動カロリー、収支カロリー、およびユーザーへのメッセージ情報を含む報知情報画面を生成する。
生成されるメッセージ情報を含む報知情報画面の表示内容は、目標カロリー、活動カロリー、収支カロリーのそれぞれの値、および繰越有無情報の内容によって異なる。図４から図７に示す報知情報画面の一例を示す図を用いて説明する。
【００７０】
図４に示す報知情報画面は、繰越有無情報が「しない」に設定されており、収支カロリーが負値になっている状態に表示される画面（画面Ｄ２０）である。また、ユーザーが所望する間食は、「ショートケーキ」、「アイスバー」、「商品Ｘ」である。
画面Ｄ２０は、領域Ｄ２０ａには、「今日の運動状況」が表示されている。「今日の運動状況」の「今日」は、所定期間が１日間であることを表している。領域Ｄ２０ｄ，Ｄ２０ｅ，Ｄ２０ｆには、目標カロリーは「７００ｋｃａｌ」（領域Ｄ２０ｄ）、活動カロリーは「４００ｋｃａｌ」（領域Ｄ２０ｅ）、収支カロリーは「−３００ｋｃａｌ」（領域Ｄ２０ｆ）であることが示されている。収支カロリーは、活動カロリーから目標カロリーを差し引いた値である。
【００７１】
グラフＤ２０ｂは、帯グラフであり、区間Ａの目標カロリーに対して、区間Ｂの斜線部分が実際に運動した活動カロリーであることを示している。具体的な数値としては、区間Ａは、目標カロリー（７００ｋｃａｌで１００％）を示し、区間Ｂは、活動カロリー（４００／７００ｋｃａｌで５７％）、区間Ｃは、収支カロリーで（３００／７００ｋｃａｌで４３％）を示している。
【００７２】
グラフＤ２０ｃは、帯グラフであり、ユーザーが所望する間食の間食カロリーの割合がわかるように示されたグラフである。帯グラフの高さ方向は１００％であり、グラフＤ２０ｂの目標カロリーの１００％と一致している。ショートケーキは３００ｋｃａｌ、アイスバーは２００ｋｃａｌ、商品Ｘは２００ｋｃａｌとして取得されて、グラフＤ２０ｃの帯グラフでは、順番に３：２：２の割合で表示されている。
【００７３】
グラフＤ２０ｂとグラフＤ２０ｃとを同じ高さにして表示することにより、ユーザーが消費した活動カロリー相当の間食の種類が明示される。例えば、区間Ｂの斜線領域は、グラフＤ２０ｃのショートケーキ、アイスバーの半分に達しているため、ユーザーは、ショートケーキとアイスバー半分とを食した分の運動が行われたことを認識することができる。このような表示を行うことで、所望する間食を食べるために運動するといった意識が高まり、ユーザーの運動継続に対するモチベーションを高めることが期待できる。
【００７４】
領域Ｄ２０ｇには、生成されたメッセージ情報が「あと９０分程度歩きましょう」と表示されている。これは、収支カロリーの−３００ｋｃａｌは、活動カロリーが目標カロリーに対して３００ｋｃａｌ分不足しているため、３００ｋｃａｌ分の活動内容についてアドバイスするメッセージである。
【００７５】
このようなメッセージ情報を表示するために、報知情報生成部４１では、活動内容の種別毎に一定時間当たりの活動カロリーの情報が記された対応表を記憶部５０に記憶（図示は省略）し、収支カロリーの数値を対応表に照らし合わせて活動内容と活動時間を取得する。上述の例では、活動内容が「歩行」であり、活動時間が「９０分」に相当する。また、活動カロリー算出部３７において行動パターンの判別などで取得した情報に基づいて、ユーザーにより実際に行動されたユーザー固有の活動内容と活動内容を継続する時間について分析して、ユーザーの行動履歴に基づいたオリジナルの活動メッセージを生成してもよい。
【００７６】
図５に示す報知情報画面は、繰越有無情報が「しない」に設定されており、収支カロリーが「０」になっている状態に表示される画面（画面Ｄ３０）である。画面Ｄ３０は、画面Ｄ２０の状態からユーザーにより活動が継続されて、収支カロリーが「０」になった時点において表示される画面である。
画面Ｄ３０の領域Ｄ３０ａには、画面Ｄ２０の領域Ｄ２０ａと同内容が表示されている。
画面Ｄ３０のグラフＤ３０ｂおよびグラフＤ３０ｃは、画面Ｄ２０のグラフＤ２０ｂおよびグラフＤ２０ｃと同様な帯グラフであり、グラフＤ３０ｃは、グラフＤ２０ｃと同内容である。
領域Ｄ３０ｄ，Ｄ３０ｅ，Ｄ３０ｆには、目標カロリーが「７００ｋｃａｌ」（領域Ｄ３０ｄ）、活動カロリーが「７００ｋｃａｌ」（領域Ｄ３０ｅ）、収支カロリーは「０ｋｃａｌ」（領域Ｄ３０ｆ）になっていることがそれぞれ示されている。
【００７７】
グラフＤ３０ｂは、区間Ａの目標カロリーに対して、区間Ｂの斜線部分が全面１００％を占めている。実際に運動した活動カロリーが目標カロリーに達したことを示している。区間Ｃは、符号だけ記載しているが値は０％である。
【００７８】
領域Ｄ３０ｇには、生成されたメッセージ情報として「今日の目標を達成しました」が表示されている。
【００７９】
図６に示す報知情報画面は、所定期間の開始時の状態で表示される画面であり、図４および図５に示した報知情報画面とは、繰越有無情報が「する」に設定されている点が異なる。その場合に繰り越された繰越カロリーは「−２００ｋｃａｌ」である。つまり、前回の所定期間においては、目標カロリーに対して活動カロリーが２００ｋｃａｌ不足していたため、その２００ｋｃａｌ分が今回の所定期間開始時に加算されるケースである。例えば、昨日の運動不足を今日解消するといったケースに相当する。
【００８０】
画面Ｄ４０の領域Ｄ４０ａは、画面Ｄ３０の領域Ｄ３０ａと同内容が表示されている。
領域Ｄ４０ｄ，Ｄ４０ｅ，Ｄ４０ｆには、目標カロリーが「９００ｋｃａｌ」（領域Ｄ４０ｄ）、活動カロリーが「０ｋｃａｌ」（領域Ｄ４０ｅ）、収支カロリーが「−９００ｋｃａｌ」（領域Ｄ４０ｆ）であると表示されている。目標カロリーの「９００ｋｃａｌ」の内訳は、ショートケーキが３００ｋｃａｌ、アイスバーが２００ｋｃａｌ、商品Ｘが２００ｋｃａｌの総計に対して、繰越カロリーの２００ｋｃａｌが加算（−２００ｋｃａｌが減算）されている。
【００８１】
グラフＤ４０ｃでは、目標カロリーの内訳がそれぞれの割合を占めて表示されている。具体的には、ショートケーキ、アイスバー、商品Ｘ、繰越カロリーが、３：２：２：２の比率で表示されている。
【００８２】
グラフＤ４０ｂは、所定期間の開始時であるので、目標カロリーの割合が区間Ａ（区間Ｂ＋区間Ｃ）で１００％、活動カロリーの割合が区間Ｂで０％、収支カロリーの割合が区間Ｃで１００％を示すイメージで表示されている。
領域Ｄ４０ｇには、生成されたメッセージ情報として「目標に繰越分の２００ｋｃａｌを追加しました」が表示され、目標カロリーに繰越カロリーが追加されたことをユーザーに知らせている。
【００８３】
図７に示す報知情報画面は、図６に示した画面と同様に所定期間の開始時の状態で表示される画面である。また、図６と同様に繰越有無情報が「する」に設定されているが、その繰り越された繰越カロリーが「＋２００ｋｃａｌ」である点が異なる。つまり、前回の所定期間においては、目標カロリーに対して活動カロリーが２００ｋｃａｌ分超えていたため、その２００ｋｃａｌ分が今回の所定期間の開始時に減算されるケースである。例えば、昨日運動しすぎた分を、今日は運動を控え気味にして体を休めるといったケースに適用される。
【００８４】
画面Ｄ５０の領域Ｄ５０ａは、画面Ｄ４０の領域Ｄ４０ａと同じ内容が表示されている。
領域Ｄ５０ｄ，Ｄ５０ｅ，Ｄ５０ｆには、目標カロリーが「５００ｋｃａｌ」（領域Ｄ５０ｄ）、活動カロリーが「０ｋｃａｌ」（領域Ｄ５０ｅ）、収支カロリーが「−５００ｋｃａｌ」（領域Ｄ５０ｆ）であると表示されている。目標カロリーの「５００ｋｃａｌ」の内訳は、ショートケーキが３００ｋｃａｌ、アイスバーが２００ｋｃａｌ、商品Ｘが２００ｋｃａｌの総計に対して、繰越カロリーの２００ｋｃａｌが減算されている。
グラフＤ５０ｃでは、目標カロリーの内訳がそれぞれの割合を占めて表示されている。具体的には、ショートケーキ、アイスバー、商品Ｘが３：２：２の比率で表示されている。
【００８５】
グラフＤ５０ｂは、所定期間の開始時のイメージであるが、開始時に既に繰越カロリー分が消費されている状態が表されている。グラフＤ５０ｂの区間Ａは目標カロリーの割合、区間Ｂは活動カロリーの割合、区間Ｃは収支カロリーの割合、区間Ｄは繰越カロリーの割合である。区間Ａは、区間Ｂと区間Ｃとの合計である。グラフＤ５０ｂの全体の高さは区間Ａと区間Ｄとの合計であり、グラフＤ５０ｃの全体の高さと一致している。つまり、区間Ａ（目標カロリーの５００ｋｃａｌ）と区間Ｄ（繰越カロリーの２００ｋｃａｌ）との合計が、３種類の間食（ショートケーキ、アイスバー、商品Ｘ）の合計である７００ｋｃａｌに相当して、同じ高さで表されている。
グラフＤ５０ｂの状態では、ユーザーが運動を開始する前に、繰越カロリーの２００ｋｃａｌ分が、ショートケーキ３００ｋｃａｌの３分の２が既に消費されているイメージが表されている。
【００８６】
領域Ｄ５０ｇには、生成されたメッセージ情報として「目標から繰越分の２００ｋｃａｌを減らしました」が表示され、目標カロリーから繰越カロリーが減算されたことをユーザーに知らせている。
【００８７】
（集計部）
図２に戻る。
集計部４３は、所定期間をまたがり中長期的に目標カロリー、活動カロリー、収支カロリー、繰越カロリー、間食の情報を集計する機能を有している。例えば、一定期間（例えば、１週間、１ヶ月、３ヶ月）単位で、それぞれの数値を集計する。また、例えば、所定期間または一定期間において、活動カロリーが目標カロリー以上になった成功回数を集計する。集計された集計情報は、記憶部５０に格納される（図示は省略）。また、集計された情報を、報知情報生成部４１へ受け渡してもよい。
【００８８】
（報知情報生成部  報奨する旨のメッセージ情報）
ここで、報知情報生成部４１が、集計部４３により集計された情報に基づいて報知情報を生成する機能について説明する。
報知情報生成部４１では、集計部４３から受け渡された集計情報に基づいて、ユーザーを報奨する旨のメッセージ情報を生成する。一定期間に上述した成功回数が所定回数以上になったか否か判定し、所定回数以上になった場合は、ユーザーの努力を称えて報奨する旨のメッセージ情報を生成する。また、メッセージ情報の内容に応じてユーザーの特典となる処理が実行されてもよい。具体例を示すと、報知情報生成部４１では、一週間（一定期間）の間に成功回数が３日間の日数（所定回数）以上となったような場合に、ユーザーに対して「３日間目標を達成しました。楽しい特典があります。」のようなメッセージ情報を生成し、報知部１４へ出力する。そして、楽しい特典とは、例えば、次の所定期間に繰越カロリーを適用し目標カロリーが下がる、ユーザーを報奨するためのポイントやバッジを送付または送信する、などの特典である。尚、特典はこのような例に限らず、ユーザーに実益を与える様々な特典を適用することができる。
【００８９】
記憶部５０は、ＲＯＭ（Read Only Memory）やフラッシュＲＯＭ、ＲＡＭ（Random Access Memory）、ＨＤＤ（Hard Disk Drive）、ＳＳＤ（Solid State Drive）等の記憶装置によって構成され、処理部３０の各機能部を実現するためのプログラム５９および各種プログラム、データ、各機能部の処理中データと処理結果などを一時的に記憶するワークエリア（図示は省略）などを有して構成される。
【００９０】
記憶部５０には、上述した間食カロリー対応テーブル５１、目標カロリーデータ５２、活動情報データ５３、活動カロリーデータ５４、収支カロリーデータ５５、繰越カロリーデータ５６、およびプログラム５９が格納されている。また、画面データ５８は、上述した画面Ｄ２０〜Ｄ５０の画面データが格納されていることを示している。尚、活動情報データ５３に格納されている情報は、活動情報に相当する。
【００９１】
（サーバー）
サーバー５は、操作部６０、表示部６２、通信部６４、処理部７０、および記憶部８０などで構成されている。サーバー５は、ネットワーク上またはクラウド環境において設置されるサーバーであり、複数のユーザーにより利用される情報機器３および複数の情報機器７の情報を管理する。
操作部６０は、一般的なキーボード、マウスなどの入力装置であり、表示部６２は、好適例として液晶パネルを採用している。また、通信部６４は、ネットワークアダプターであり、情報機器３とサーバー５との間において、間食に係わる各種情報を送受信する。
【００９２】
処理部７０は、ＣＰＵであり、サーバー５の操作部６０、表示部６２、通信部６４、および記憶部８０などの各部を統括的に制御する。処理部７０は、間食カロリー解析部７１、集計部７３、および報知情報生成部７５を機能部として有している。ただし、これらの機能部はあくまでも一例であり、必ずしもすべての機能部を必須要件としなくてもよい。
【００９３】
間食カロリー解析部７１は、情報機器３の間食カロリー取得部３３から間食情報に対応する間食カロリーの情報を要求された場合に、当該間食情報の間食カロリーを検索または解析して、取得した間食カロリーの情報を情報機器３の間食カロリー取得部３３へ応答する。詳しくは、間食カロリー解析部７１は、記憶部８０（後述する）で管理される間食情報ＤＢ８１へアクセスしデータベース上で管理される間食情報に関連する情報を取得する。同一の間食情報が存在していた場合は、その間食カロリーを情報機器３へ送信する。存在しない場合は、間食情報ＤＢ８１から類似の間食情報を参照して、代替の間食名称とその間食カロリーを情報機器３へ送信する。また、更に、間食カロリー解析部７１は、インターネット上の他のサーバーやクラウドサーバーなどを監視し、新たな種類の間食に関する情報を検出した場合は、都度、間食情報ＤＢ８１の情報を更新可能である。
【００９４】
（集計部）
集計部７３は、ユーザー毎にユーザーの活動に伴う集計情報を集計する。詳しくは、集計部７３は、通信部６４を制御して、ユーザーが利用する情報機器３から集計情報を受信する。受信した集計情報をユーザー毎に記憶部８０のユーザー取得情報ＤＢ８５へ格納する。集計情報は、上述した情報機器３の集計部４３により集計された集計情報であり、更に活動情報データ５３などの情報も含まれている。
【００９５】
（報知情報生成部  分析された集計情報のグラフ化）
報知情報生成部７５は、ユーザー毎に集計情報を分析し、グラフ化などによって可視化された報知情報を生成する。詳しくは、情報機器３や情報機器７からユーザーの集計情報の送信を要求された場合に、報知情報生成部７５では、ユーザー取得情報ＤＢ８５に格納されるユーザーの集計情報を読み出し、ユーザーが摂取する間食と間食カロリーを消費する活動に関する様々な情報を可視化した画面データを生成し、記憶部８０へ画面データ８８として格納する。引き続き、情報機器３や情報機器７からの送信要求に応答して画面データ８８を送信する。画面データ８８は、情報機器３の表示部１５、情報機器７の表示部９０に出力されるとそれぞれの表示装置で表示される。また、画面データ８８は、表示部６２へも出力され、サーバー５の表示装置にも表示される。報知情報生成部７５により生成される画面データ８８が表示された場合の画面の一例を図８〜図１１に示す。
【００９６】
図８〜図１１は、集計情報のグラフ画面を示す図である。
画面Ｄ１００（図８）は、ユーザーの活動カロリーと目標カロリーとの比較が分析された棒グラフの画面である。このグラフでは、毎日（１２月１日〜５日）の活動カロリーと目標カロリーとの比較が表わされている。
画面Ｄ１１０（図９）は、ユーザーの収支カロリーが可視化された棒グラフの画面である。このグラフでは、毎日（１２月１日〜５日）の収支カロリー（活動カロリー  −  目標カロリー）が表されている。画面Ｄ１１０の右側の「１日〜５日」では、１２月１日から５日までの収支カロリーの合計が棒グラフで表されている。
画面Ｄ１２０（図１０）は、ユーザーが摂取した（または摂取予定だった）間食の間食カロリーが種別毎に分析された棒グラフの画面である。
画面Ｄ１３０（図１１）は、画面Ｄ１２０の棒グラフの情報を円グラフで表した画面である。
【００９７】
尚、画面データ８８は、Ｗｅｂブラウザーなどで表示可能なように形式、例えば、ＨＴＭＬ（Hyper Text Markup Language）形式で作成されていてもよい。
【００９８】
記憶部８０は、ＲＯＭやフラッシュＲＯＭ、ＲＡＭ、ＨＤＤ、ＳＳＤ等の記憶装置によって構成され、処理部７０の各機能部を実現するためのプログラム８９および各種プログラム、データ、各機能部の処理中データと処理結果などを一時的に記憶するワークエリア（図示は省略）などを有して構成される。また、記憶部８０にはリレーショナルデータベースなどのデータベースエンジンが搭載され、間食情報ＤＢ８１、ユーザー管理ＤＢ８３、およびユーザー取得情報ＤＢ８５などで管理されるデータの登録、更新、削除、検索等の各処理およびトランザクション処理が実行される。
【００９９】
間食情報ＤＢ８１は、間食に関する情報を管理するデータベースであり、間食の種別毎に間食カロリー、間食の量に対する単位、間食の栄養成分、摂取時の注意事項などの情報が格納されている。
ユーザー管理ＤＢ８３は、ユーザーの個人情報を管理するデータベースであり、ユーザーの固有のＩＤ、ユーザーの名前、年齢、性別、体重、身長、連絡先、ユーザーが利用する情報機器３の機器情報、ユーザーの家族情報、ユーザーの家族が利用する情報機器７の機器情報、ユーザーの基礎体力に係わる情報などが格納されている。
ユーザー取得情報ＤＢ８５は、上述したようにユーザーが利用する情報機器３から受信した集計情報を管理するデータベースであり、ユーザー毎に目標カロリーデータ５２、活動情報データ５３、活動カロリーデータ５４、収支カロリーデータ５５、および繰越カロリーデータ５６などのデータが蓄積されている。
【０１００】
（情報機器）
情報機器７は、一般的なＰＣおよびタブレットＰＣなどであり、第２報知部としての表示部９０を備えて構成されている。表示部９０には、サーバー５から通信４を介して受信した画面データ８８が表示される。また、情報機器７は、サーバー５のユーザー取得情報ＤＢ８５に格納された集計情報を取得し、情報機器３で表示した画面データ５８と同等の内容を表示することができる。情報機器７は、好適には、情報機器３を利用するユーザーの関係者または助言者などが利用する機器であり、例えば、ユーザーの家族に、画面データ５８および画面データ８８などの情報を提供することができる。このような構成によって、ユーザーの家族が、ユーザーが摂取を予定している間食の情報と、活動カロリーの情報とを確認することができる。例えば、ユーザーが摂取を予定している間食がショートケーキであり、ユーザーがショートケーキの間食カロリー分を活動カロリーで消費したことをユーザーの家族が確認した場合には、ユーザーの家族がユーザーの代わりにショートケーキを購入して自宅で待っているといった連携が可能である。
【０１０１】
（間食管理方法）
図１２は、間食管理の処理の流れを示すフローチャート図である。図１３は、目標カロリーの算出処理の流れを示すフローチャート図である。図１４は、報知情報の生成処理の流れを示すフローチャート図である。これらのフローは、情報機器３の処理部３０およびサーバー５の処理部７０が、それぞれの記憶部５０および記憶部８０に記憶されているプログラム５９およびプログラム８９を読み込んで、それぞれの各部を制御することにより実行される処理の流れである。尚、図１２〜図１４に示すフローは、間食管理方法に相当する。
【０１０２】
図１２を用いて説明する。
ステップＳ１００では、準備が行われる。具体的には、情報機器３を利用するユーザーの情報（ユーザー管理ＤＢ８３に格納される個人情報）などを取得する。取得した情報を、情報機器３の記憶部５０およびユーザー管理ＤＢ８３に格納する。特に、ユーザーの年齢、性別、および体重は、以降のステップにおける活動カロリーの算出で利用される。また、本ステップでは、間食を管理する期間に関する所定期間の情報、および繰越有無情報をユーザーから取得して、情報機器３の記憶部５０に格納する。
【０１０３】
ステップＳ１１０では、間食情報を取得する。詳しくは、間食情報の入力を促す入力画面から、間食の種類と間食の量とを取得する。本ステップは間食情報取得工程に相当する。
【０１０４】
ステップＳ１１５では、間食カロリーを取得する。詳しくは、間食カロリー対応テーブル５１を参照して間食ごとに間食カロリーの値を取得する。本ステップは、間食カロリー取得工程に相当する。
【０１０５】
ステップＳ１２０では、目標カロリーを算出する。本ステップについては、図１３において詳細を後述する。本ステップは、目標カロリー算出工程に相当する。
【０１０６】
ステップＳ１２５では、活動情報を検出する。詳しくは、検出部２０により検出された活動情報を取得する。本ステップは、検出工程に相当する。
【０１０７】
ステップＳ１３０では、活動カロリーを算出する。詳しくは、活動情報から所定条件が満たされた状態において消費される代謝熱量（消費カロリー）を算出し、累積した消費カロリーを活動カロリーとして算出する。本ステップは、活動カロリー算出工程に相当する。
【０１０８】
ステップＳ１３５では、収支カロリーを算出する。具体的には、活動カロリーから目標カロリーを差し引いた値を収支カロリーとする。本ステップは、収支カロリー算出工程に相当する。
【０１０９】
ステップＳ１４０では、メッセージ情報を生成する。メッセージ情報は、報知情報画面のメッセージ情報表示領域（例えば、領域Ｄ２０ｇ（図４）、領域Ｄ３０ｇ（図５））に表示される情報である。本ステップについては、図１４において詳細を後述する。本ステップは、報知情報生成工程に相当する。
【０１１０】
ステップＳ１４５では、報知情報画面を表示する。報知情報画面は、例えば画面Ｄ２０（図４）または画面Ｄ３０（図５）である。上述のステップで取得した間食情報および間食カロリーを用いてグラフＤ２０ｃまたはグラフＤ３０ｃを描画する。上述のステップで算出した目標カロリー、活動カロリー、収支カロリーを用いて領域Ｄ２０ｄ〜２０ｆまたは領域Ｄ３０ｄ〜３０ｆの表示、およびグラフＤ２０ｂまたはグラフＤ３０ｂを描画する。そして、ステップＳ１４０で生成されたメッセージ情報を、領域Ｄ２０ｇまたは領域Ｄ３０ｇに表示する。本ステップは、報知工程に相当する。
【０１１１】
ステップＳ１５０では、所定期間が終了しているか否か判定する。所定期間が終了していると判定した場合には（Ｙｅｓ）、ステップＳ１５５へ進み、所定期間が終了していないと判定した場合には（Ｎｏ）、次の活動情報を取得するためにステップＳ１２５へ処理を移す。
【０１１２】
ステップＳ１５５では、収支カロリーを繰越カロリーとして記憶する。詳しくは、所定期間終了後の収支カロリーの値を、記憶部５０に繰越カロリーデータ５６として格納して、本フローを終了する。
【０１１３】
図１３を用いて説明する。
本フローは、ステップＳ１２０（目標カロリーの算出）の処理フローである。
【０１１４】
ステップＳ２１０では、間食カロリーを足して目標カロリーを算出する。詳しくは、間食毎にそれぞれの間食カロリーを和算して目標カロリーとして算出する。
【０１１５】
ステップＳ２２０では、繰越が有効であるか否か判定する。詳しくは、ステップＳ１００で取得した繰越有無情報が「する」であった場合は、繰越が有効であると判定し（Ｙｅｓ）、ステップＳ２３０へ進む。繰越有無情報が「しない」であった場合は、繰越が有効でないと判定し（Ｎｏ）、本フローを終了する。この場合では、ステップＳ２１０で算出した目標カロリーがステップＳ１２５以降のステップの目標カロリーとなる。
ステップＳ２３０では、繰越カロリーを読み込む。詳しくは、前回の所定期間終了時において格納された繰越カロリーデータ５６を読み込む。
【０１１６】
ステップＳ２４０では、繰越カロリーを適用して目標カロリーを修正する。具体的には、ステップＳ２１０で算出した目標カロリーからステップＳ２３０で読み込んだ繰越カロリーを減算して目標カロリーとする。本フローを終了し、ステップＳ１２５へ進む。
【０１１７】
図１４を用いて説明する。
本フローは、ステップＳ１４０（メッセージ情報の生成）の処理フローである。
【０１１８】
ステップＳ３１０では、収支カロリーが負値であるか否か判定する。収支カロリーが負値であることは、活動カロリーが目標カロリーよりも小さい値であるため、活動量（運動量）が目標カロリーに対して不足していることを示す。逆に、収支カロリーが０以上であることは、活動カロリーが目標カロリー以上になったことを示すため、活動量（運動量）が目標カロリーに達したことを示す。収支カロリーが負値である場合には（Ｙｅｓ）、ステップＳ３２０へ進み、収支カロリーが０以上である場合には（Ｎｏ）、ステップＳ３３０へ進む。
【０１１９】
ステップＳ３２０では、必要な運動量に関するメッセージ情報を生成する。詳しくは、収支カロリー分のカロリーを消費するために必要な活動内容とその活動時間を取得する。取得した活動内容とその活動時間のメッセージ情報を生成する。本フローを終了し、ステップＳ１４５へ進む。
【０１２０】
ステップＳ３３０では、目標が達成された旨のメッセージ情報を生成する。本フローを終了し、ステップＳ１４５へ進む。
【０１２１】
以上述べてきたように、本実施形態に係わる間食管理システム１においては、以下の効果を得ることができる。
間食情報取得部３１は、所定期間と、所定期間に所望する間食の情報を取得する。目標カロリー算出部３５は、間食カロリー取得部３３により取得された間食カロリー（カロリー情報）に基づいて、所定期間に摂取される予定の間食分の食物熱量を消費するために必要な熱量を目標カロリーとして算出する。以降、ユーザーの活動に伴い消費される活動カロリーが活動カロリー算出部３７により算出される。活動カロリーには、基礎代謝に伴う消費熱量は含まれていないため、活動（運動）を積極的に行うことにより、摂取する予定の間食の食物熱量分を食する前に消費することができる。この間に運動することにより間食の食物熱量が減少していく様子は、報知情報生成部４１により生成される報知情報画面（画面Ｄ２０、画面Ｄ３０）によってユーザーに報知される。ユーザーは、このような報知情報画面を視認することで、間食分の目標カロリーを消費するための活動に集中することができる。このようにして、従来のような食事を含む管理ではなく、情報としては間食に係わる情報のみで、ユーザーが消費すべきエネルギー量とユーザーの活動に応じて消費されるエネルギー量を報知している。従って、間食を日常的に摂取しているユーザーにとって、間食に係わる管理が重視されたシステムを提供することができる。
【０１２２】
また、間食情報取得部３１は、繰越有無情報を取得する。繰越有無情報が「する」と設定されている場合は、所定期間に目標カロリーを超える活動（運動）をしていた場合には、超えた分の活動カロリーを次の所定期間に繰り越すことができる。このような繰り越すことができる機能を備えることによって、ユーザーは、所定期間の活動（運動）を意欲的に行うことができ、モチベーションを高めるといった効果が期待できる。
【０１２３】
更に、情報機器７では、サーバー５の報知情報生成部７５により生成された各種報知情報画面を表示することができる。ユーザーの減量を支援する関係者は、各種報知情報画面を確認し、ユーザーの活動（運動）を応援することも可能である。ユーザーは応援されることにより、更に減量活動に対するモチベーションを高めることができる。
【０１２４】
（実施形態２）
（装着装置）
図１５は、実施形態２における情報機器の概要を示す図である。本実施形態に係わる情報機器１０３の構成について、以下に説明する。尚、実施形態１の間食管理システム１の構成と同一の構成部については、同一の番号を使用し、重複する説明は省略する。また、図１５には、実施形態１で示した間食管理システム１において説明したサーバー５および情報機器７は記載していないが、サーバー５および情報機器７が通信４によって接続される構成であってもよい。尚、情報機器１０３は、装着装置に相当する。
情報機器１０３は、実施形態１における間食管理システム１の情報機器３と同様な機能を有し、情報機器３とは、ユーザーＵに装着される装着装置である点が異なる。
情報機器１０３は、ユーザーＵの手首（または、腕部）に装着される腕時計型の装置である。情報機器１０３は、手首に装着された状態で、手首側と対向する面に露出して各種情報を表示可能な表示部１１５と、表示部１１５を覆うように配置されるタッチパネル方式で情報を入力可能な入力部１１０が備えられている。また、手首に装着された状態で、手首の皮膚側面に配設される脈拍センサー１２３が備えられている。
図１５のブロック構成図は、情報機器１０３の主要な構成部のみ記載しており、一部の構成部の記載は省略している。情報機器１０３は、入力部１１０、報知部１１４（表示部１１５、音出力部１１７）、検出部１２０（加速度センサー１２１、測位センサー１２２、脈拍センサー１２３）、計時部１２５、通信部１２７、処理部１３０、および記憶部１５０などを有して構成され、小型化、薄型化、低消費電力化されたＭＥＭＳ（Micro Electro Mechanical Systems）やマイクロチップなどに実装され腕時計型の装置本体に搭載されている。
以下に情報機器１０３の特徴的な構成部である表示部１１５、入力部１１０、および脈拍センサー１２３について詳細に説明する。
【０１２５】
表示部１１５は、文字や画像、アイコンの表示が可能な表示装置であり、例えば、柔軟に変形可能なフレキシブルタイプのドットマトリックス型ＥＰＤ（Electrophoretic Display）などである。処理部１３０から入力される表示信号に基づく各種表示を行う。尚、表示部１１５は、ＬＣＤ（Liquid Crystal Display）、セグメント型ＬＥＤなどであってもよい。
【０１２６】
入力部１１０は、表示部１１５の表示面を覆うタッチセンサーやタッチパネル等を有して構成される入力装置であり、静電容量方式または抵抗膜方式などの方式でタッチされた部位を検出し、検出信号を処理部１３０に出力する。尚、入力部１１０は、ボタンスイッチ等を有して構成される入力装置であってもよい。
【０１２７】
脈拍センサー１２３は、発光素子と受光素子とを備える光電センサーにより構成されており、発光素子から生体に向かって光を照射させ、血管で反射された反射光を受光素子により受光する。脈拍センサー１２３は、血管の拡張時と収縮時とで光の反射率が異なる現象を利用してユーザーの脈波を検出する。脈拍センサー１２３は、検出された脈波のデータを周波数分解処理し各周波数の信号強度値を分析し、脈波に相当する周波数スペクトルを特定する。そして、脈波の周波数スペクトルの周波数から脈拍数を算出する。算出した脈拍数は記憶部１５０へ格納される。尚、脈拍センサー１２３は、上述の光電センサーに限らず、超音波により血管の収縮を検出して脈拍数を測定する超音波センサーを採用してもよく、電極から微弱電流を体内に流して脈拍数を測定するセンサー等を採用してもよい。測定した脈拍数は、記憶部１５０に記憶され、処理部１３０により、実施形態１で上述した活動カロリー算出部３７（図２）と同様な方法により脈拍数の情報から活動カロリーが算出される。尚、本実施形態における脈拍数の情報は、活動情報に相当する。
【０１２８】
処理部１３０は、入力部１１０、表示部１１５、および脈拍センサー１２３などの各部を制御して、処理部３０（図２）の各機能部と同様な機能部を実現することにより、ユーザー所望の間食の入力、目標カロリーの算出、所定条件を満たす活動の活動カロリーの算出、収支カロリーの算出、報知情報画面の生成を行なう。処理部１３０は、報知情報画面を表示部１１５へ出力することにより、表示部１１５には、画面Ｄ２０〜Ｄ５０および画面Ｄ１００〜Ｄ１３０（図４〜図１１）が表示される。
【０１２９】
以上述べてきたように、情報機器１０３によれば、ユーザーの身体に装着される腕時計型の装置で、実施形態１と同様な間食管理を実現することができる。情報機器１０３は、ユーザーの腕時計代わりに日常的に装着されるため、豊富な活動情報を収集することができる。豊富な活動情報により、ユーザーの活動カロリーが正確に算出可能になる。また、入力部１１０および表示部１１５を備えているため、腕時計の時間を視認する要領で、日常生活の中で報知情報画面を視認することができ、ユーザーの減量活動への取り組み意識の向上と維持継続効果が期待できる。
【０１３０】
尚、本発明は上述した実施形態に限定されず、上述した実施形態に様々な変更や改良等を加えることが可能である。変形例を以下に述べる。
【０１３１】
（変形例１）
図１６を中心に図２などの各図も用いて説明する。
図１６は、変形例における間食管理システムの概要を表す説明図である。
上述の実施形態では、情報機器３または情報機器１０３によって、加速度情報や脈拍数の情報などの活動情報を検出し、活動カロリーを算出する構成であったが、本変形例では活動情報を、情報機器３または情報機器１０３とは別体の情報機器２０３によって検出する構成になっている点が異なる。尚、情報機器２０３は、装着装置に相当する。
間食管理システム２０１は、情報機器２０３、サーバー５、および情報機器３などで構成されている。情報機器２０３と情報機器３とは通信６によって、情報機器３とサーバー５とは通信４によって、それぞれ各種データを通信可能に接続されている。尚、間食管理システム２０１では、実施形態１に示した情報機器７が、通信４によってサーバー５と接続されている構成であってもよい。
【０１３２】
情報機器３は、通信アダプターである通信部２７（図２）によって情報機器２０３と通信６を介して通信を確立する。通信６は好適例として、近距離無線アダプターである。情報機器３の活動カロリー算出部３７は、情報機器２０３から活動情報を受信する。活動カロリー算出部３７の以降の処理は、実施形態１と同様であり、生成された報知情報画面は表示部１５に表示される。尚、情報機器３は、検出部２０から取得する活動情報と、情報機器２０３から受信する活動情報との両方を利用してもよいし、いずれか一方を選択して利用する方法であってもよい。例えば、活動カロリー算出部３７は、情報機器２０３から活動情報を受信していない間は、検出部２０から活動情報を取得する構成であってもよい。
【０１３３】
情報機器２０３は、実施形態２の情報機器１０３と同様なユーザーＵの手首（または腕部）に装着される腕時計型の装置である。情報機器２０３では、情報機器１０３とは、報知情報画面などを表示する表示装置が備えられていない点が異なる。従って、情報機器２０３の製品化にあたっては、表示装置が備えられていない分、情報機器１０３よりも小型化、薄型化、軽量化、省電力化などが可能である。
【０１３４】
情報機器２０３は、検出部２２０（加速度センサー２２１、脈拍センサー２２３）、通信部２２７、処理部２３０、および記憶部２５０などから構成されている。
処理部２３０は、検出部２２０から取得した活動情報を、情報機器３へ送信する機能を有している。詳しくは、ユーザーＵが情報機器２０３を装着すると、検出部２２０を制御して加速度センサー２２１および脈拍センサー２２３による加速度情報および脈拍数の情報の検出を開始する。検出した加速度情報および脈拍数の情報などの活動情報を時系列に記憶部２５０へ格納する。
次に、処理部２３０は、通信部２２７を制御して、情報機器３が通信範囲内にあり通信可能であるか検出する。処理部２３０では、通信可能であると判定した場合に、情報機器３の通信部２７と通信６を確立して、記憶部２５０に格納された時系列の活動情報を送信する。
【０１３５】
また、処理部２３０には、情報機器３の処理部３０に含まれる一部の機能部が備えられていてもよい。例えば、処理部２３０において、活動カロリー算出部３７および収支カロリー算出部３９と、情報機器３からユーザーＵの間食情報およびカロリー情報に基づいて算出されたユーザーＵが消費すべき目標カロリーを取得する目標カロリー取得部（図示は省略）と、を備えてもよい。このような構成によれば、目標カロリー取得部は、通信部２２７を介して情報機器３から目標カロリーを取得する。処理部２３０では、ユーザーＵの活動に応じて算出される活動カロリーと目標カロリーとの差分である収支カロリーを算出する。処理部２３０は、通信部２２７と通信部２７（情報機器３）と近距離無線アダプターなどにより常時接続を確立し、リアルタイムに算出した収支カロリーを情報機器３へ送信する。情報機器３では、ユーザーＵの活動に応じて変化する収支カロリーを表示することができる。また、この場合、情報機器２０３には、消費電力の少ないＬＥＤなどを備え、算出された収支カロリーの大小に応じた報知（例えば、赤点灯、黄点灯、緑点灯）などがされてもよい。
【０１３６】
このような構成による情報機器２０３の製品化においては、小型化、薄型化、軽量化が実現できるため装着時の装着感がよく、ユーザーにより常時装着されている可能性が高くなる。ユーザーの活動情報をより多く取得することができるため、情報機器３側では、より精度の高い報知情報を生成することができる。
【０１３７】
（変形例２）
上述の実施形態および変形例において、活動カロリー算出部３７では、所定条件を満たす活動に応じて消費される代謝熱量を累積した活動カロリーを算出する方法として、所定条件を運動強度の高い活動（運動）や脈拍数、心拍数に基づいた条件としているがそのような条件に限定されず、活動（運動）が判定できる条件であればよい。
例えば、活動情報として脈拍数（心拍数でもよい）を利用する場合では、所定条件を所定脈拍数を超えている脈拍数または心拍数の場合に、所定条件を満たしていると判定してもよい。所定脈拍数は、安静時脈拍数、就寝時脈拍数、平時脈拍数などであってよい。また、脈拍数の急激な変化点を所定条件としてもよい。たとえば、急激に脈拍数が上昇した場合に、活動カロリーを算出してもよい。
【０１３８】
（変形例３）
上述の実施形態および変形例において、活動カロリー算出部３７における、所定条件を満たす活動に応じて消費される代謝熱量を累積した活動カロリーを算出する方法として、上述した方法に限らない。例えば、基礎代謝熱量を含む全ての代謝熱量を累積して、累積した全ての代謝熱量から基礎代謝熱量分の熱量を差し引いた値を活動カロリーとして算出してもよい。
【符号の説明】
【０１３９】
１…間食管理システム、３…情報機器、４…通信、５…サーバー、６…通信、７…情報機器、１０…入力部、１４…報知部、１５…表示部、１７…音出力部、２０…検出部、２１…加速度センサー、２２…測位センサー、２５…計時部、２７…通信部、３０…処理部、３１…間食情報取得部、３３…間食カロリー取得部、３５…目標カロリー算出部、３７…活動カロリー算出部、３９…収支カロリー算出部、４１…報知情報生成部、４３…集計部、５０…記憶部、５１…間食カロリー対応テーブル、５２…目標カロリーデータ、５３…活動情報データ、５４…活動カロリーデータ、５５…収支カロリーデータ、５６…繰越カロリーデータ、５８…画面データ、５９…プログラム、６０…操作部、６２…表示部、６４…通信部、７０…処理部、７１…間食カロリー解析部、７３…集計部、７５…報知情報生成部、８０…記憶部、８１…間食情報ＤＢ、８３…ユーザー管理ＤＢ、８５…ユーザー取得情報ＤＢ、８８…画面データ、８９…プログラム、９０…表示部、１０３…情報機器、１１０…入力部、１１４…報知部、１１５…表示部、１１７…音出力部、１２０…検出部、１２１…加速度センサー、１２２…測位センサー、１２３…脈拍センサー、１２５…計時部、１２７…通信部、１３０…処理部、１５０…記憶部、２０１…間食管理システム、２０３…情報機器、２２０…検出部、２２１…加速度センサー、２２３…脈拍センサー、２２７…通信部、２３０…処理部、２５０…記憶部。
【図１】
2017194887.tif 000003
【図２】
2017194887.tif 000004
【図３】
2017194887.tif 000005
【図４】
2017194887.tif 000006
【図５】
2017194887.tif 000007
【図６】
2017194887.tif 000008
【図７】
2017194887.tif 000009
【図８】
2017194887.tif 000010
【図９】
2017194887.tif 000011
【図１０】
2017194887.tif 000012
【図１１】
2017194887.tif 000013
【図１２】
2017194887.tif 000014
【図１３】
2017194887.tif 000015
【図１４】
2017194887.tif 000016
【図１５】
2017194887.tif 000017
【図１６】
2017194887.tif 000018